(57)【要約】【課題】  情報端末が、一時的に情報配信システムのサービスエリアを離れてデータを受信できなくとも、再度サービスエリアに入ればその間のデータも受信できるようにする。【解決手段】  携帯情報端末は、時刻Ｂで無線ＬＡＮ環境内に入り、キャッシュ配信部に時刻Ａから放送波等が受信できなくなった旨の情報を送信すると、キャッシュ配信部は、携帯情報端末に、時刻Ａに対応するマルチメディアデータから時間順に早送りされる態様で、マルチメディアデータをユニキャスト配信する。携帯情報端末は、キャッシュ配信部からのマルチメディアデータが、リアルタイムで放送または配信されているマルチメディアデータに追いついたと判断すると、キャッシュ配信部に対しデータの送信の終了を命令する情報を通知し、キャッシュ配信部への接続を終了し、そして、マルチキャスト・ブロードキャスト配信部から配信されるマルチメディアデータを受信する。【選択図】        図１２
2005286373.tif 000002
【特許請求の範囲】
【請求項１】
マルチメディアデータを配信する第１の配信手段を含む情報配信装置、および、前記情報配信装置の配信するデータを受信可能な情報端末を備え、
前記情報配信装置は、
前記第１の配信手段の配信するマルチメディアデータを、時刻を特定する情報である第１の時刻特定情報を付与された形態で保存する保存手段と、前記保存手段に保存されたマルチメディアデータを配信する第２の配信手段とをさらに含み、
前記情報端末は、
マルチメディアデータを受信する受信手段と、
前記受信手段がマルチメディアデータを受信できるか否かを判断する判断手段と、
時刻を計時する計時手段と、
前記判断手段が、前記受信手段がマルチメディアデータを受信できる状態から受信できない状態へと変化したと判断すると、その時点での前記計時手段の計時する時刻を特定する情報である第２の時刻特定情報を記憶する記憶手段と、
前記判断手段が、前記受信手段がマルチメディアデータを受信できない状態から受信できる状態へと変化したと判断すると、前記第２の配信手段に、前記第２の時刻特定情報を送信する送信手段とを含み、
前記第２の配信手段は、前記受信手段が前記第２の時刻特定情報を受信したことに応じて、前記保存手段に保存されたマルチメディアデータの中の、前記第２の時刻特定情報に対応する時刻以降の時刻に対応する前記第１の時刻特定情報を付与されたマルチメディアデータを、早送り再生されるように配信する、情報配信システム。
【請求項２】
前記情報配信装置は、前記第２の配信手段の配信するマルチメディアデータの前記第１の時刻特定情報によって特定される時刻が、現在の時刻に対して所定の関係となった場合に、前記情報端末に対して、前記第２の配信手段から配信される情報の受信の終了、および、前記第１の配信手段から配信される情報の受信の開始を命令する情報を通知する通知手段をさらに含む、請求項１に記載の情報配信システム。
【請求項３】
前記情報端末は、前記受信手段が前記第２の配信手段から受信したマルチメディアデータに付与された前記第１の時刻特定情報が前記計時手段の計時する現在時刻に対して所定の関係となった場合に、前記第２の配信手段に対して、データの配信を終了するよう命令する情報を通知する通知手段をさらに含む、請求項１に記載の情報配信システム。
【請求項４】
マルチメディアデータを配信する第１の配信手段と、
前記第１の配信手段の配信するマルチメディアデータを、時刻を特定する情報である第１の時刻特定情報を付与された形態で保存する保存手段と、
或る情報端末がマルチメディアデータの受信ができなくなった時刻を特定する情報である第２の時刻特定情報を受信する受信手段と、
前記受信手段が前記第２の時刻特定情報を受信したことに応じて、前記保存手段に保存されたマルチメディアデータの中の、前記第２の時刻特定情報に対応する時刻以降の時刻に対応する前記第１の時刻特定情報を付与されたマルチメディアデータを、早送り再生されるように配信する、第２の配信手段とを備える、情報配信装置。
【請求項５】
前記第２の配信手段の配信するマルチメディアデータの前記第１の時刻特定情報によって特定される時刻が現在の時刻に対して所定の関係となった場合に、前記或る情報端末に対して、前記第２の配信手段から配信される情報の受信、および、前記第１の配信手段から配信される情報の受信の開始を命令する情報を通知する通知手段をさらに備える、請求項４に記載の情報配信装置。
【請求項６】
前記第１の配信手段は、複数の番組についてのマルチメディアデータをＩＰ（Internet protocol）マルチキャスト通信によって配信し、さらに、前記複数の番組のそれぞれに対応するマルチキャストグループアドレスと前記第２の配信手段によるマルチメディアデータの配信に対応するＩＰアドレスとをＩＰブロードキャスト通信によって配信する、請求項４または請求項５に記載の情報配信装置。
【請求項７】
マルチメディアデータを配信する第１の配信手段を備える情報配信装置の配信するデータを受信可能な情報端末であって、
前記情報配信装置は、前記第１の配信手段の配信するマルチメディアデータを、時刻を特定する情報である第１の時刻特定情報を付与された形態で保存する保存手段と、前記保存手段に保存されたマルチメディアデータを配信する第２の配信手段とをさらに備え、
マルチメディアデータを受信する受信手段と、
前記受信手段がマルチメディアデータを受信できるか否かを判断する判断手段と、
時刻を計時する計時手段と、
前記判断手段が、前記受信手段がマルチメディアデータを受信できる状態から受信できない状態へと変化したと判断すると、その時点での前記計時手段の計時する時刻を特定する情報である第２の時刻特定情報を記憶する記憶手段と、
前記判断手段が、前記受信手段がマルチメディアデータを受信できない状態から受信できる状態へと変化したと判断すると、前記第２の配信手段に、前記第２の時刻特定情報を送信する送信手段と、
前記受信手段の受信するマルチメディアデータを再生する再生手段とを備え、
前記受信手段は、前記第２の配信手段が前記第２の時刻特定情報を受信したことに応じて配信する、前記保存手段に保存され前記第２の時刻特定情報によって特定される時刻以降の時刻に対応する前記第１の時刻特定情報を付与されたマルチメディアデータを受信し、
前記再生手段は、前記第２の配信手段から配信され、前記受信手段によって受信されたマルチメディアデータを早送り再生する、情報端末。
【請求項８】
前記受信手段は、電波を介してマルチメディアデータを受信し、
前記判断手段は、前記受信手段の受信する電界の強度に基づいて、前記マルチメディアデータを受信できなくなったか否かを判断する、請求項７に記載の情報端末。
【請求項９】
前記第２の配信手段から配信され、前記受信手段によって受信されたマルチメディアデータに付与された前記第１の時刻特定情報が、前記計時手段の計時する現在時刻に対して所定の関係となった場合に、前記第２の配信手段に対して、データの配信を終了するよう命令する情報を通知する通知手段とをさらに備える、請求項７または請求項８に記載の情報端末。
【請求項１０】
マルチメディアデータを配信するステップと、
前記配信するマルチメディアデータを、時刻を特定する情報である第１の時刻特定情報を付与された形態で保存するステップと、
或る情報端末がマルチメディアデータを受信できなくなった時刻を特定する情報である第２の時刻特定情報を受信するステップと、
前記第２の時刻特定情報を受信したことに応じて、前記第１の時刻特定情報を付与された形態で保存されたマルチメディアデータの中の、前記第２の時刻特定情報に対応する時刻以降の時刻に対応する前記第１の時刻特定情報を付与されたマルチメディアデータを、早送り再生されるように配信するステップとを備える、情報配信方法。
【発明の詳細な説明】
【技術分野】
【０００１】
本発明は、情報配信システム、情報配信装置、情報端末、および、情報配信方法に関し、特に、情報端末が情報配信装置の配信するマルチメディアデータを受信する、情報配信システム、情報配信装置、情報端末、および、情報配信方法に関する。
【背景技術】
【０００２】
近年、１セグメントの放送システムが確立されつつある。このような１セグメントの放送システムは、屋外での放送に適用されることが想定されている。
【０００３】
また、近年、ＩＰ（Internet Protocol）マルチキャストを利用した配信技術やサービスの検証が活発となっている。これを受けて、無線回線に対してＩＰマルチキャストを適用し、多数の無線端末に対して、一斉に、マルチメディアデータを、ＩＰマルチキャストを使用して無線端末に配信を行なうサービスが想定される。
【０００４】
ＩＰマルチキャストを含むマルチキャストによる情報の配信に関しては、従来から、種々、技術が開示されている。たとえば、特許文献１には、情報配信装置から、無線区間を介しそのサービスエリア内の無線端末に対してマルチキャスト情報の配信サービスを行なうようにしたマルチキャストサービス提供方法において、情報配信装置が、配信サービス中のマルチキャスト情報を識別する情報とそのマルチキャスト情報の配信に用いられる無線チャネルとをサービスエリア内のすべての無線端末に対して所定の無線チャネルを用いて報知し、そして、サービスエリア内の各無線端末は、その報知された無線チャネルにて情報配信装置からマルチキャスト情報の配信サービスを受けるように構成する技術が開示されている。
【特許文献１】特開２００１−３０８８５６号公報
【発明の開示】
【発明が解決しようとする課題】
【０００５】
しかしながら、マルチキャストによる情報の配信によると、無線端末は、当該マルチキャストのサービスエリア内にいるときしか、情報を受信できない。このことから、従来のマルチキャストによる情報の配信によると、無線端末を携帯するユーザが移動することにより、当該無線端末が、サービスエリア内から一度外に移動し、再度、サービスエリア内に入った場合、無線端末では、サービスエリア外に存在していた期間に配信された情報を得ることができなかった。
【０００６】
本発明は、かかる実情に鑑み考え出されたものであり、その目的は、マルチメディアデータを受信する情報端末が、一時的にサービスエリアを離れる等によりデータを受信できなかった場合でも、再度サービスエリアに入った場合には、その間のデータも受信できるようにする、情報配信システム、情報配信装置、情報端末、および、情報配信方法を提供することである。
【課題を解決するための手段】
【０００７】
本発明に従った情報配信システムは、マルチメディアデータを配信する第１の配信手段を含む情報配信装置、および、前記情報配信装置の配信するデータを受信可能な情報端末を備え、前記情報配信装置は、前記第１の配信手段の配信するマルチメディアデータを、時刻を特定する情報である第１の時刻特定情報を付与された形態で保存する保存手段と、前記保存手段に保存されたマルチメディアデータを配信する第２の配信手段とをさらに含み、前記情報端末は、マルチメディアデータを受信する受信手段と、前記受信手段がマルチメディアデータを受信できるか否かを判断する判断手段と、時刻を計時する計時手段と、前記判断手段が、前記受信手段がマルチメディアデータを受信できる状態から受信できない状態へと変化したと判断すると、その時点での前記計時手段の計時する時刻を特定する情報である第２の時刻特定情報を記憶する記憶手段と、前記判断手段が、前記受信手段がマルチメディアデータを受信できない状態から受信できる状態へと変化したと判断すると、前記第２の配信手段に、前記第２の時刻特定情報を送信する送信手段とを含み、前記第２の配信手段は、前記受信手段が前記第２の時刻特定情報を受信したことに応じて、前記保存手段に保存されたマルチメディアデータの中の、前記第２の時刻特定情報に対応する時刻以降の時刻に対応する前記第１の時刻特定情報を付与されたマルチメディアデータを、早送り再生されるように配信することを特徴とする。
【０００８】
また、本発明に従った情報配信システムでは、前記情報配信装置は、前記第２の配信手段の配信するマルチメディアデータの前記第１の時刻特定情報によって特定される時刻が、現在の時刻に対して所定の関係となった場合に、前記情報端末に対して、前記第２の配信手段から配信される情報の受信の終了、および、前記第１の配信手段から配信される情報の受信の開始を命令する情報を通知する通知手段をさらに含むことが好ましい。
【０００９】
また、本発明に従った情報配信システムでは、前記情報端末は、前記受信手段が前記第２の配信手段から受信したマルチメディアデータに付与された前記第１の時刻特定情報が前記計時手段の計時する現在時刻に対して所定の関係となった場合に、前記第２の配信手段に対して、データの配信を終了するよう命令する情報を通知する通知手段をさらに含むことが好ましい。
【００１０】
本発明に従った情報配信装置は、マルチメディアデータを配信する第１の配信手段と、前記第１の配信手段の配信するマルチメディアデータを、時刻を特定する情報である第１の時刻特定情報を付与された形態で保存する保存手段と、或る情報端末がマルチメディアデータの受信ができなくなった時刻を特定する情報である第２の時刻特定情報を受信する受信手段と、前記受信手段が前記第２の時刻特定情報を受信したことに応じて、前記保存手段に保存されたマルチメディアデータの中の、前記第２の時刻特定情報に対応する時刻以降の時刻に対応する前記第１の時刻特定情報を付与されたマルチメディアデータを、早送り再生されるように配信する、第２の配信手段とを備えることを特徴とする。
【００１１】
また、本発明に従った情報配信装置は、前記第２の配信手段の配信するマルチメディアデータの前記第１の時刻特定情報によって特定される時刻が現在の時刻に対して所定の関係となった場合に、前記或る情報端末に対して、前記第２の配信手段から配信される情報の受信、および、前記第１の配信手段から配信される情報の受信の開始を命令する情報を通知する通知手段をさらに備えることが好ましい。
【００１２】
また、本発明に従った情報配信装置では、前記第１の配信手段は、複数の番組についてのマルチメディアデータをＩＰ（Internet protocol）マルチキャスト通信によって配信し、さらに、前記複数の番組のそれぞれに対応するマルチキャストグループアドレスと前記第２の配信手段によるマルチメディアデータの配信に対応するＩＰアドレスとをＩＰブロードキャスト通信によって配信することが好ましい。
【００１３】
本発明に従った情報端末は、マルチメディアデータを配信する第１の配信手段を備える情報配信装置の配信するデータを受信可能な可能な情報端末であって、前記情報配信装置は、前記第１の配信手段の配信するマルチメディアデータを、時刻を特定する情報である第１の時刻特定情報を付与された形態で保存する保存手段と、前記保存手段に保存されたマルチメディアデータを配信する第２の配信手段とをさらに備え、マルチメディアデータを受信する受信手段と、前記受信手段がマルチメディアデータを受信できるか否かを判断する判断手段と、時刻を計時する計時手段と、前記判断手段が、前記受信手段がマルチメディアデータを受信できる状態から受信できない状態へと変化したと判断すると、その時点での前記計時手段の計時する時刻を特定する情報である第２の時刻特定情報を記憶する記憶手段と、前記判断手段が、前記受信手段がマルチメディアデータを受信できない状態から受信できる状態へと変化したと判断すると、前記第２の配信手段に、前記第２の時刻特定情報を送信する送信手段と、前記受信手段の受信するマルチメディアデータを再生する再生手段とを備え、前記受信手段は、前記第２の配信手段が前記第２の時刻特定情報を受信したことに応じて配信する、前記保存手段に保存され前記第２の時刻特定情報によって特定される時刻以降の時刻に対応する前記第１の時刻特定情報を付与されたマルチメディアデータを受信し、前記再生手段は、前記第２の配信手段から配信され、前記受信手段によって受信されたマルチメディアデータを早送り再生することを特徴とする。
【００１４】
また、本発明に従った情報端末では、前記受信手段は、電波を介してマルチメディアデータを受信し、前記判断手段は、前記受信手段の受信する電界の強度に基づいて、前記マルチメディアデータを受信できなくなったか否かを判断することが好ましい。
【００１５】
また、本発明に従った情報端末は、前記第２の配信手段から配信され、前記受信手段によって受信されたマルチメディアデータに付与された前記第１の時刻特定情報が、前記計時手段の計時する現在時刻に対して所定の関係となった場合に、前記第２の配信手段に対して、データの配信を終了するよう命令する情報を通知する通知手段とをさらに備えることが好ましい。
【００１６】
本発明に従った情報配信方法は、マルチメディアデータを配信するステップと、前記配信するマルチメディアデータを、時刻を特定する情報である第１の時刻特定情報を付与された形態で保存するステップと、或る情報端末がマルチメディアデータを受信できなくなった時刻を特定する情報である第２の時刻特定情報を受信するステップと、前記第２の時刻特定情報を受信したことに応じて、前記第１の時刻特定情報を付与された形態で保存されたマルチメディアデータの中の、前記第２の時刻特定情報に対応する時刻以降の時刻に対応する前記第１の時刻特定情報を付与されたマルチメディアデータを、早送り再生されるように配信するステップとを備えることを特徴とする。
【発明の効果】
【００１７】
本発明によると、情報配信システムにおいて、情報端末は、マルチメディアデータを受信できなくなってから再度受信できるようになった際に、受信できなくなった時刻を特定する情報を情報配信装置に対して送信する。そして、情報配信装置は、そのような時刻を特定する情報を受信すると、その時刻以降のマルチメディアデータを配信する。これにより、情報端末は、マルチメディアデータが配信されるサービスエリアを一時的に出た場合、または、放送網と同じ番組を配信するようなマルチメディアデータの配信サービスの受信エリアを一時的に出た場合のような、マルチメディアデータを一時的に受信できなくても、情報配信装置から、その間のマルチメディアデータを送信される。
【００１８】
つまり、本発明によると、情報端末において、マルチメディアデータや放送波に基づいた番組を一時的に視聴できなかった場合でも、情報配信システムのサービスエリアに入ると、その間の番組に対応するマルチメディアデータを受信できる。
【００１９】
また、本発明によると、情報端末では、一時的に視聴できなかった番組に対応するマルチメディアデータが、早送り再生される。
【００２０】
これにより、情報端末のユーザは、当該一時的に視聴できなかった番組に対応するマルチメディアデータを一通り早送りで確認した後、第１の配信手段によって、現在時刻に対応して配信されるマルチメディアデータを視聴することができる。
【００２１】
つまり、本発明では、単に、情報端末に対して、一時的に視聴できなかった番組に対応するマルチメディアデータが配信されるだけでなく、そのようなマルチメディアデータが、再生された後に当該情報端末で再生されるマルチメディアデータが現在時刻に対応したものとなるように、配信される。
【００２２】
このことから、情報端末のユーザは、一時的に視聴できなかった番組の内容を視聴した後、現在時刻に対応した番組を視聴することができる。
【００２３】
また、本発明によると、情報端末に送信される、情報端末がマルチメディアデータを受信できなかった時間に対応するマルチメディアデータは、時刻を特定する情報を付与された形態で保存されており、そして、情報配信装置から情報端末に送信されるそのようなマルチメディアデータに付与された時刻が、現在の時刻に対して所定の関係を有するようになれば、そのことが、情報配信装置または情報端末で認識される。そして、情報配信装置で認識された場合には、情報配信装置は、情報端末に、当該情報端末がマルチメディアデータを受信できなかった時間に対応するマルチメディアデータの受信を終了し、かつ、現在時刻に対応して配信されるマルチメディアデータを受信するように命令する情報を通知する。また、情報端末で認識された場合には、情報端末は、情報配信装置に、当該情報端末がマルチメディアデータを受信できなかった時間に対応するマルチメディアデータの配信を終了するように命令する情報を通知する。
【００２４】
これにより、情報配信装置の、情報端末がマルチメディアデータを受信できなかった時間に対応するマルチメディアデータの配信を、効率良く、終了させることができる。
【００２５】
また、本発明によると、情報端末は、情報配信装置が配信する複数の番組のそれぞれに対応するマルチキャストグループアドレスと、情報端末がマルチメディアデータを受信できなかった時間に対応するマルチメディアデータの配信のためのマルチキャストグループアドレスを得ることができる。
【００２６】
これにより、情報端末は、希望するマルチメディアデータを選択的に受信することができる。
【００２７】
また、本発明によると、情報端末において、マルチメディアデータが電波を介して受信され、マルチメディアデータを受信できるか否かが受信される電界の強度に基づいて判断される。
【００２８】
これにより、情報端末において、マルチメディアデータを受信できるか否かが明確な基準に基づいて判断されるようになる。
【発明を実施するための最良の形態】
【００２９】
以下、図面を参照しつつ、本発明の実施の形態を説明する。
【００３０】
図１は、本発明の一実施の形態である情報配信システムの構成を模式的に示す図である。図１に示された情報配信システムには、テレビジョン放送波を発信する放送局４００およびテレビジョン放送波によるテレビジョン放送と同じ番組のマルチメディアデータをマルチキャストするマルチキャスト配信サーバ１００が含まれる。また、当該情報配信システムでは、放送局４００の発信する放送波を受信し、また、マルチキャスト配信サーバ１００から配信されるマルチメディアデータを受信する、携帯情報端末２００が含まれる。マルチキャスト配信サーバ１００は、放送局４００から発信される放送波に対応したマルチメディアデータを受信することができる。
【００３１】
情報配信システムでは、複数のマルチキャスト配信サーバ１００が存在してもよく、本明細書では、各マルチキャスト配信サーバ１００の配信するデータを受信可能なエリアを、無線ＬＡＮ（Local Area Network）環境３００と呼び、放送局４００の発信する放送波を受信可能なエリアを、放送環境５００と呼ぶ。
【００３２】
本実施の形態では、マルチキャスト配信サーバ１００は、放送局４００から受信したマルチメディアデータを、ＩＰマルチキャストで携帯情報端末２００に向けて配信する。なお、マルチキャスト配信サーバ１００の配信する情報はこれに限定されず、放送局４００以外の情報源から入力されたマルチメディアデータを配信しても良く、逆に、放送局４００が、マルチキャスト配信サーバ１００の配信するマルチメディアデータに対応する番組の内容を入力され、当該番組の内容を放送波と発信しても良い。
【００３３】
図２は、図１に示した情報配信システムにおいて、１つの放送環境５００と、当該放送環境５００に隣接する無線ＬＡＮ環境３００とを模式的に示す図である。
【００３４】
図２をさらに参照して、本実施の形態のマルチキャスト配信サーバ１００は、マルチキャスト・ブロードキャスト配信部１０１と、キャッシュ配信部１５０とを含む。
【００３５】
本実施の形態の情報配信システムは、携帯情報端末２００の中の１つである携帯情報端末２００Ａが、破線の矢印で示すように放送環境５００から無線ＬＡＮ環境３００へと移動する場合、放送環境５００にも無線ＬＡＮ環境３００にも含まれないＰ点とＱ点との間を移動する期間中に放送される、つまり、放送局４００の発信する放送波もマルチキャスト配信サーバ１００の配信するマルチメディアデータも受信できない状態にあるときに放送されるマルチメディアデータを、無線ＬＡＮ環境３００内に入った後で、受信できるように構成される。
【００３６】
具体的には、マルチキャスト配信サーバ１００では、マルチキャスト・ブロードキャスト配信部１０１から、放送局４００の発信する番組とほぼ同じタイミングで番組に対応するマルチメディアデータが配信されるとともに、当該マルチメディアデータが、時刻情報を付与された形態でキャッシュ配信部１５０に保存される。そして、無線ＬＡＮ環境３００内に上記した携帯情報端末２００Ａが入ってきた場合、キャッシュ配信部１５０に、当該携帯情報端末２００Ａが放送波を受信できなくなった時刻についての情報が送信され、これに応じて、キャッシュ配信部１５０から、当該時刻以降のマルチメディアデータが配信される。なお、キャッシュ配信部１５０から配信されるデータは、早送り再生されるように処理をされて、配信される。
【００３７】
これにより、携帯情報端末２００Ａは、無線ＬＡＮ環境３００内に入ると、キャッシュ配信部１５０から、上記したＰ点からＱ点までを移動していたために受信できなかったマルチメディアデータを含む現在時刻までのマルチメディアデータを再生すると、マルチキャスト・ブロードキャスト配信部１０１からオンタイムで配信されるマルチメディアデータを受信し、再生する。なお、本明細書では、キャッシュ配信部１５０から一時的に番組を視聴できなかった携帯情報端末２００Ａに対して配信されるデータであって、当該視聴できなかった部分に対応するマルチメディアデータを含む現在時刻までのマルチメディアデータを、ギャップデータと呼ぶ場合がある。
【００３８】
図３は、マルチキャスト配信サーバ１００の構成を模式的に示す図である。
【００３９】
マルチキャスト配信サーバ１００は、放送局４００等から送信される、複数のチャンネルの番組に対応する放送波を受信するアンテナ１９５と、アンテナ１９５で受信された放送波を、チャンネルごとに復調する１セグ放送復調部１９１，１９２，１９３とを備えている。１セグ放送復調部１９１〜１９３によって復調されたそれぞれの番組に対応するマルチメディアデータは、マルチキャスト・ブロードキャスト配信部１０１とキャッシュ配信部１５０に配信される。
【００４０】
マルチキャスト・ブロードキャスト配信部１０１からは、ほぼリアルタイムで、放送局４００から発信される番組と同じ番組のマルチメディアデータが、番組ごとに異なるＩＰアドレスで、配信される。携帯情報端末２００は、視聴を希望する番組に対応するＩＰアドレスに接続することにより、当該番組のマルチメディアデータを受信できる。
【００４１】
また、上記したように、一時的に番組を受信できなかった携帯情報端末２００Ａは、キャッシュ配信部１５０に対して、視聴を希望する番組に対応するＩＰアドレスで接続して、受信ができなくなった時刻についての情報を送信する。
【００４２】
この場合、携帯情報端末２００Ａには、ＤＨＣＰ（Dynamic Host Configuration Protocol）などの技術を利用することにより、無線ＬＡＮ環境３００に入った段階でＩＰアドレスが付与されているものとする。これにより、各携帯情報端末２００は、ＩＰアドレスによって一意に選択されることが可能となっている。
【００４３】
また、マルチキャスト・ブロードキャスト配信部１０１およびキャッシュ配信部１５０のいずれを利用する場合でも、マルチメディアデータの受信を待ち受けるポート番号等は、予め定められているものとする。
【００４４】
これにより、キャッシュ配信部１５０は、携帯情報端末２００Ａに対して、ユニキャストで、視聴を希望する番組について、受信ができなくなった時刻から現在時刻までのマルチメディアデータを送信する。なお、ユニキャストで送信されるマルチメディアデータは、携帯情報端末２００Ａにおいて早送りされるような形態に加工されて、送信される。
【００４５】
上記した種々のＩＰアドレスに関する情報（後述する図４および図５に示す情報）は、マルチキャスト・ブロードキャスト配信部１０１によって、たとえば一定時間ごとに、ブロードキャスト配信される。
【００４６】
ブロードキャスト配信されるＩＰアドレスについての情報であって、マルチキャスト・ブロードキャスト配信部１０１から配信されるマルチメディアデータについての、番組ごとのＩＰアドレス（マルチキャストグループアドレス）は、例えば図４に示される。
【００４７】
図４に示される情報では、テレビジョン放送波におけるチャンネル（ＴＶ−ＣＨ）と、無線ＬＡＮ環境３００における通信チャンネル（無線ＣＨ）と、各無線ＬＡＮ環境３００におけるマルチキャストグループアドレス（マルチキャスト配信ＩＰアドレス）とが関連付けられている。マルチキャスト・ブロードキャスト配信部１０１を利用するための通信チャンネルは、「１」とされている。
【００４８】
図４に示されるような情報を受信した携帯情報端末２００は、たとえば、ユーザから、テレビジョン放送波における２チャンネルの番組の視聴を希望する情報が入力されると、マルチキャスト・ブロードキャスト配信部１０１に対して、「２２４．１．１００．１」というＩＰアドレスを使用することにより、ユーザが視聴を希望する番組のマルチメディアデータを受信する。
【００４９】
キャッシュ配信部１５０に接続するためのユニキャスト用のＩＰアドレスであって、受信ができなくなった時刻をキャッシュ配信部１５０へ送信するためのＩＰアドレス（キャッシュ配信部接続ＩＰアドレス）を、図５に示す。
【００５０】
図５に示される情報では、テレビジョン放送波におけるチャンネル（ＴＶ−ＣＨ）ごとに、キャッシュ配信部接続ＩＰアドレスが、関連付けられている。なお、キャッシュ配信部１５０に接続するための、無線ＬＡＮ環境３００における通信チャンネル（無線ＣＨ）は、「２」とされている。
【００５１】
図５に示される情報を受信した携帯情報端末２００Ａは、たとえば、テレビジョン放送波における４チャンネルの番組を視聴している途中で番組を受信できなくなった場合、「１９２．１６８．１．２」というＩＰアドレスでキャッシュ配信部１５０に接続し、受信ができなくなった時刻の情報をキャッシュ配信部１５０に送信する。キャッシュ配信部１５０は、携帯情報端末２００Ａから番組を受信できなくなった時刻の情報を受信すると、対応する番組の、対応する時刻から現在までのマルチメディアデータを、「１９２．１６８．１．２」というＩＰアドレスに接続してきた携帯情報端末２００Ａに、ユニキャストで送信する。
【００５２】
図４および図５に示されたＩＰアドレスに関する情報は、後述する番組配信表記億部１０４に記憶されている。
【００５３】
図６は、マルチキャスト・ブロードキャスト配信部１０１の構成を説明するための図である。図６を参照して、マルチキャスト・ブロードキャスト配信部１０１は、番組配信表記憶部１０４、ＩＤ・ＵＤＰ（User Datagram Protocol）ヘッダ付与部１１１〜１１３、配信制御部１２１〜１２３、および、無線インターフェイス１０２を含む。
【００５４】
マルチキャスト・ブロードキャスト配信部１０１では、アンテナ１９５で受信された各チャンネルの放送波は、１セグ放送復調部１９１〜１９３で復調されることによりＭＰＥＧ−ＴＳ（Moving Picture Experts Group Transport Stream）形式のマルチメディアデータとされた後、ＩＰ・ＵＤＰヘッダ付与部１１１〜１１３で、それぞれ、ＩＰヘッダとＵＤＰヘッダを付与される。そして、各チャンネルのマルチメディアデータは、配信制御部１２１〜１２３から、無線インターフェース１０２を介して、チャンネルごとに定められたＩＰアドレスで配信される。
【００５５】
以上説明したように、本実施の形態では、無線ＬＡＮ環境３００では、ＩＰネットワークを介して、マルチキャスト配信サーバ１００が、データの配信を行なう例が示されたが、本発明は、これに限定されるものではなく、ＩＰネットワーク以外のネットワークを介したデータの配信にも適用されても良い。
【００５６】
図７は、キャッシュ配信部１５０の構成を説明するための図である。図７を参照して、キャッシュ配信部１５０は、タイムスタンプ付与部１５１、保存制御部１５２、パケット保存部１５３、パケット読み出し部１５４、ＩＰ・ＵＤＰヘッダ付与部１５６、配信制御部１５７、番組配信表記憶部１５８、無線インターフェイス１６０、接続制御部１６１、配信番組判定部１６２、開始時刻抽出部１６３、および、開始パケット位置検索部１６４を含む。
【００５７】
キャッシュ配信部１５０では、アンテナ１９５で受信された各チャンネルの放送波は、１セグ放送復調部１９１〜１９３で復調されることによりＭＰＥＧ−ＴＳ形式のマルチメディアデータとされた後、タイムスタンプ付与部１５１において、パケットごとに、同じ内容のパケットのデータがマルチキャスト・ブロードキャスト配信部１０１で配信される時刻の情報を付与された後、保存制御部１５２によってパケット保存部１５３に一時的に保存される。なお、保存制御部１５２は、各パケットを、付与された時刻の情報の順序に従って、パケット保存部１５３に保存する。
【００５８】
図８に、パケット保存部１５３におけるパケットデータの保存態様を模式的に示す。
【００５９】
図８を参照して、パケット保存部１５３では、２チャンネル用ファイル保存部１５３２にテレビジョン放送波の２チャンネルの番組についてのパケットデータが保存され、４チャンネル用ファイル保存部１５３４にテレビジョン放送波の４チャンネルの番組についてのパケットデータが保存されている。つまり、パケット保存部１５３では、テレビジョン放送波のチャンネルごとに、パケットがまとめられて保存されている。つまり、パケット保存部１５３は、マルチキャスト・ブロードキャスト配信部１０１の配信するマルチメディアデータについてのキャッシュメモリとして作用する。
【００６０】
携帯情報端末２００Ａから、無線インターフェース１６０を介して、当該携帯情報端末２００Ａが放送波を受信できなくなった時刻を含む情報を受信すると、配信番組判定部１６２により、受信したＩＰアドレスに基づいて携帯情報端末２００Ａが視聴を希望するテレビジョン放送波におけるチャンネルが決定され、当該決定されたチャンネルと番組配信表記憶部１５８に記憶された番組配信表とに基づいて携帯情報端末２００Ａが視聴を希望する番組が特定され、そして、開始時刻抽出部１６３により、受信した情報から携帯情報端末２００Ａが放送波を受信できなくなった時刻を特定する情報が抽出される。開始パケット位置検索部１６４は、開始時刻抽出部１６３が抽出した時刻を特定する情報に基づいて、携帯情報端末２００Ａが、パケット保存部１５３に記憶されたどのパケットから視聴できていないか、つまり、パケット保存部１５３に記憶されたパケットの中から携帯情報端末２００Ａに送信を開始するパケットを検索する。
【００６１】
パケット読み出し部１５４は、パケット保存部１５３に記憶されたパケットの中で、開始パケット位置検索部１５３の検索結果であるパケットから順次読み出しを行なう。パケット読み出し部１５４によって読み出されたパケットは、順次、ＩＰ・ＵＤＰヘッダ付与部１５６によって、ＩＰヘッダとＵＤＰヘッダを付与され、配信制御部１５７から、無線インターフェース１０２を介して配信される。なお、パケット読み出し部１５４は、読み出したパケットに対して、早送り再生されるための処理を施す。早送りの速度は、情報配信システムが置かれる環境に基づいて適宜決定されるものであるが、携帯情報端末２００Ａにおいて再生された際に内容が理解される程度のものとされる必要がある。
【００６２】
図９に、携帯情報端末２００の構成を示す。図９を参照して、携帯情報端末２００は、当該携帯情報端末２００の動作を全体的に制御する制御部２０１を備えている。また、携帯情報端末２００は、無線インターフェイス２０２、ＴＳ（Transport Stream）抽出部２０３、放送アンテナ２０４、復調部２０５、ＴＳ入力切り替え部２１０、受信品質判定部２１１、タイマ２１２、メモリ２１３、ＴＳデマルチプレクサ（ＤＥＭＵＸ）２０６、ＭＰＥＧ復号部２０７、表示部２２０、および、音声出力部２２１を含む。放送局４００の発信するテレビジョン放送波は、放送アンテナ２０４で受信され、復調部２０５で復調される。無線ＬＡＮ環境３００で配信されるマルチメディアデータは、無線インターフェイス２０２で受信される。無線インターフェイス２０２で受信したデータ、および、放送アンテナ２０４で受信した放送波は、受信品質判定部２１１で、その受信品質を判定される。具体的には、たとえば、放送アンテナ２０４で受信した放送波の受信品質は、受信された電界強度が、予め定められた電界強度と比較され、それ以上であれば受信品質は正常と判定され、それ未満であれば受信品質が悪いと判定される。
【００６３】
受信品質判定部２１１によって、受信品質が悪いと判断されると、制御部２０１は、その時点でタイマ２１２が計時する時刻を、受信していた番組のチャンネル情報とともにメモリ２１３に記憶させる。
【００６４】
ＴＳ入力切り替え部２１０は、無線インターフェイス２０２で受信されたマルチメディアデータからＴＳ抽出部２０３で抽出されたＭＰＥＧ−ＴＳデータか、放送アンテナ２０４で受信され復調部２０５で復調された放送波のいずれか一方を選択的にＴＳデマルチプレクサ２０６に入力する。上記のようなＭＰＥＧ−ＴＳデータまたは放送波は、ＴＳデマルチプレクサ２０６、ＭＰＥＧ復号部２０７を介して、表示部２２０および音声出力部２２１で再生される。
【００６５】
次に、図１０および図１１を参照して、マルチキャスト配信サーバ１００による上記したギャップデータの配信の際の処理について、説明する。図１０は、ギャップデータの配信の際に携帯情報端末２００（２００Ａ）側で実行される処理のフローチャートであって、図１１は、ギャップデータの配信の際にマルチキャスト配信サーバ１００側で実行される処理のフローチャートである。なお、携帯情報端末２００は、図１０に示される処理を実行する際には、放送局４００の発信する放送波、または、マルチキャスト・ブロードキャスト配信部１０１の配信するマルチメディアデータを受信しているものとする。
【００６６】
携帯情報端末２００は、ＳＡ１で、放送局４００の発信する放送波またはマルチキャスト・ブロードキャスト配信部１０１の配信するマルチメディアデータについて、受信品質が劣化したか（悪くなったか）否かを判断し、劣化したと判断すると、ＳＡ２に処理を進める。
【００６７】
ＳＡ２では、ＳＡ１で受信品質が劣化したと判断した時刻を、その時点で携帯情報端末２００で視聴されていた番組のチャンネル（テレビジョン放送波におけるチャンネル）とともに、メモリ２１３に記憶させる。
【００６８】
次に、携帯情報端末２００では、ＳＡ３で、無線ＬＡＮ配信が有るか否かが判断される。無線ＬＡＮ配信が有るか否かとは、具体的には、無線ＬＡＮ環境３００内で配信されるデータを受信できる状態にあるか否かを意味し、たとえば、マルチキャスト・ブロードキャスト配信部１０１がブロードキャスト配信する、図４または図５に示したような情報を受信できるか否かによって判断される。そして、携帯情報端末２００Ａは、無線ＬＡＮ配信が有ると判断すると、ＤＨＣＰにより自身のＩＰアドレスの取得および保存を行なった後、ＳＡ４に処理を進める。
【００６９】
ＳＡ４では、携帯情報端末２００は、図４に示したような各番組についてのマルチキャストグループアドレス、および、図５に示したようなユニキャスト用のＩＰアドレスを取得する。
【００７０】
次に、携帯情報端末２００は、ＳＡ５で、ＳＡ４で取得したユニキャスト用のＩＰアドレスをチェックすることにより、それまで視聴していた番組について、キャッシュ配信が有るか否かを判断する。キャッシュ配信とは、本実施の形態におけるギャップデータの配信のことを言う。つまり、視聴していた番組についてキャッシュ配信が有るか否かとは、図５に示されたようなＩＰアドレスの表において、視聴していた番組に対応するテレビジョン放送波のチャンネルについて、キャッシュ配信部接続ＩＰアドレスが存在するか否かということを意味する。そして、キャッシュ配信が有ると判断されると、ＳＡ６に処理が進められ、キャッシュ配信が無いと判断されると、処理が終了される。なお、ここで処理を終了した後、携帯情報端末２００は、たとえば、ＳＡ４で取得したマルチキャストグループアドレスに基づいて、所望の番組の視聴のためにマルチキャスト・ブロードキャスト配信部１０１からデータを受信する処理を行なう。
【００７１】
ＳＡ６では、携帯情報端末２００は、ＳＡ２でメモリ２１３に記憶したユニキャスト用のＩＰアドレスを参照することにより、キャッシュ配信部１５０に、視聴を希望するテレビ放送波のチャンネルに対応したキャッシュ配信部接続ＩＰアドレスで接続して放送波等を受信できなくなった時刻を送信し、そして、ＳＡ７で、キャッシュ配信部１５０から配信されるギャップデータを受信し、当該データを再生する。なお、ここでのデータの再生は、早送り再生となる。
【００７２】
なお、マルチキャスト配信サーバ１００は、ＳＢ１で、上記したＳＡ６の処理により携帯情報端末２００がキャッシュ配信部接続ＩＰアドレスに接続してきたか否かを判断している。そして、そのような接続があったと判断すると、ＳＢ２で、当該接続の際に受信したＩＰアドレスに基づいて、配信番組判定部１６２に、携帯情報端末２００が視聴を希望する番組を特定させ、そして、ＳＢ３で、開始時刻抽出部１６３に、携帯情報端末２００から受信した情報から当該携帯情報端末２００が放送波を受信できなくなった時刻を特定する情報を抽出させる。
【００７３】
そして、マルチキャスト配信サーバ１００は、ＳＢ４で、開始パケット位置検索部１６４に、パケット保存部１５３に記憶されたパケットの中から携帯情報端末２００に送信を開始するパケットを検索させ、ＳＢ５で、検索結果であるパケットから、時刻順に、携帯情報端末２００へと送信する。ここで送信されるパケットが、ギャップデータとして、ＳＡ７で、携帯情報端末２００で受信される。
【００７４】
携帯情報端末２００は、ＳＡ７で受信および再生を行なっているギャップデータについて、ＳＡ８で、受信品質判定部２１１に、ギャップデータとして再生される情報が、現在マルチキャスト・ブロードキャスト配信部１０１で配信される情報に追いついたか否かを判断させる。ここでの、追いついたか否かの判断とは、具体的には、受信したデータに付与されている時刻情報とタイマ２１２の計時する現在時刻とを比較することにより、付与された時刻情報が、現在時刻に対して、予め定められた所定の関係となったか否かの判断である。なお、現在時刻に対する所定の関係とは、現在時刻と同じとされても良いし、データに付与された時刻があと１秒程度で現在時刻と同じとなるようなものとされても良い。そして、ＳＡ８で、追いついたと判断されると、携帯情報機器２００は、ＳＡ９で、キャッシュ配信部１５０に、ギャップデータの配信を終了するよう命令する情報を通知し、ＳＡ１０に処理を進める。
【００７５】
一方、マルチキャスト配信サーバ１００は、ＳＢ６で、このような情報の通知があったか否かを判断しており、このような情報の通知があったと判断するとＳＢ７で、キャッシュ配信部１５０によるギャップデータの配信を終了させて、処理を終了させる。
【００７６】
そして、携帯情報機器２００は、ＳＡ１０で、キャッシュ配信部１５０への接続を終了し、ＳＡ１１で、マルチキャスト・ブロードキャスト配信部１０１に、視聴を希望する放送波のチャンネルに対応したマルチキャスト配信ＩＰアドレスでの受信に切替えて、処理を終了する。これ以降は、携帯情報端末２００では、マルチキャスト・ブロードキャスト配信部１０１の配信する、放送局４００からリアルタイムで発信される番組に対応したマルチメディアデータが、通常の速度で再生されて、視聴されることになる。
【００７７】
以上説明した本実施の形態のまとめとして、携帯情報端末２００でデータが再生される態様について、図１２を参照して説明する。なお、図１２は、左から右へ、時間が進むように記載されている。そして、図１２において、番組データとは、放送局４００から発信される放送波またはマルチキャスト・ブロードキャスト配信部１０１が配信するマルチメディアデータの、リアルタイムな番組データを意味し、受信品質とは、携帯情報端末２００における放送波またはマルチメディアデータの受信品質を意味する。
【００７８】
図１２は、携帯情報端末２００が、時刻Ａまで、正常に、放送波またはマルチメディアデータを正常に受信し、時刻Ａから時刻Ｂまで、放送波もマルチメディアデータも受信できない状態（たとえば、放送環境５００内にも無線ＬＡＮ環境３００内にも存在しない状態）にあり、そして、時刻Ｂ以降は、無線ＬＡＮ環境３００内に存在する状態にあるように、記載されている。
【００７９】
携帯情報端末２００は、放送波もマルチメディアデータも受信ができなくなった時刻Ａでは、その時点での時刻を、メモリ２１３に記憶させる。そして、携帯情報端末２００は、時刻Ｂで、無線ＬＡＮ環境３００内に入ると、マルチキャスト配信サーバ１００内のキャッシュ配信部１５０に対して、時刻Ａから受信ができなくなった旨の情報を送信する。これに応じて、キャッシュ配信部１５０は、携帯情報端末２００に対して、時刻Ａに対応するマルチメディアデータから、時間順に、早送りされる態様で、マルチメディアデータをユニキャスト配信する。ユニキャスト配信されたマルチメディアデータを受信することにおり、携帯情報端末２００では、当該データの早送り再生が行なわれる。
【００８０】
そして、携帯情報端末２００は、このような早送り再生を続けることにより、キャッシュ配信部１５０から送信されるマルチメディアデータが、リアルタイムで放送または配信されているマルチメディアデータに追いついたと判断すると、キャッシュ配信部１５０に対してマルチメディアデータの送信の終了を命令する情報を通知した後、キャッシュ配信部１５０への接続を終了し、そして、マルチキャスト・ブロードキャスト配信部１０１から配信されるマルチメディアデータを受信する。
【００８１】
図１２は、時刻Ｃで、キャッシュ配信部１５０から配信されるマルチメディアデータがリアルタイムで放送または配信されるデータに追いついたことを示すように記載されている。また、番組データの中の、時刻Ａから時刻Ｃに対応する番組データが、キャッシュ配信部１５０から送信されるギャップデータに対応する。
【００８２】
なお、以上説明した本実施の形態の変形例として、キャッシュ配信部１５０が、当該キャッシュ配信部１５０から配信されるマルチメディアデータが、リアルタイムで放送または配信されているマルチメディアデータに追いついたと判断するように構成されても良い。このような変形例におけるキャッシュ配信部１５０の構成を、図１３に示す。
【００８３】
図１３に示されたキャッシュ配信部１５０は、図７に示されたものに加えて、切り替え判定部１５５および通知情報記憶部１７０を備えている。切り替え判定部１５５は、パケット読み出し部１５４の読み出したパケットに付与された時刻と、タイムスタンプ付与部１５１に備えられているタイマの計時時刻とを比較し、これらの時刻が所定の関係となったか否かを判定し、所定の関係となったと判断すると、携帯情報端末２００に、接続先を、キャッシュ配信部１５０からマルチキャスト・ブロードキャスト配信部１０１に変更することを命令する情報を通知するための処理を行なう。当該情報を通知するための処理としては、たとえば、当該情報を通知情報記憶部１７０に記憶させておき、そして、ＩＰ・ＵＤＰヘッダ付与部１５６に、ＩＰヘッダとＵＤＰヘッダに加えて当該情報を付与させる処理である。
【００８４】
このような変形例では、図１０に示した携帯情報端末２００における処理は、図１４に示すように変更され、図１１に示したマルチキャスト配信サーバ１００における処理は、図１５に示すように変更される。
【００８５】
この変形例では、マルチキャスト配信サーバ１００は、ＳＢ１〜ＳＢ５までの処理を、上記した実施の形態と同様に行なった後、ＳＤ６で、切り替え判定部１５５に、携帯情報端末２００に配信しているギャップデータが、現在マルチキャスト・ブロードキャスト配信部１０１で配信される情報に追いついたか否かを判断させ、そして、追いついたと判断されると、ＳＤ７で、さらに、携帯情報端末２００に、接続先を、キャッシュ配信部１５０からのデータの受信を終了し、そして、マルチキャスト・ブロードキャスト配信部１０１から配信されるデータを受信するよう命令する情報を通知させる。ＳＤ６における判断は、上記したように、切り替え判定部１５５が、パケット読み出し部１５４の読み出したパケットに付与された時刻と、タイムスタンプ付与部１５１に備えられているタイマの計時時刻とを比較し、これらの時刻が所定の関係となったか否かを判定することを意味する。
【００８６】
また、この変形例では、携帯情報端末２００は、ＳＡ１〜ＳＡ７までの処理を上記した実施の形態の同様に行なった後、ＳＣ８で、ＳＤ７でのギャップ配信部１５０からの通知があったか否かを判断する。そして、そのような通知があったと判断すると、携帯情報機器２００は、ＳＣ９で、ＳＡ１０と同様に、キャッシュ配信部１５０への接続を終了した後、ＳＣ１０で、ＳＡ１１と同様に、マルチキャスト・ブロードキャスト配信部１０１に、視聴を希望する放送波のチャンネルに対応したマルチキャスト配信ＩＰアドレスでの受信に切替えて、処理を終了する。
【００８７】
一方、マルチキャスト配信サーバ１００は、ＳＤ７で、携帯情報端末２００に対して通知を行なった後、ＳＤ８で、ＳＢ７と同様に、キャッシュ配信部１５０によるギャップデータの配信を終了させて、処理を終了させる。
【００８８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８９】
【図１】本発明の一実施の形態である情報配信システムの構成を模式的に示す図である。
【図２】図１に示した情報配信システムにおいて、１つの放送環境と、当該放送環境に隣接する無線ＬＡＮ環境とを模式的に示す図である。
【図３】図１のマルチキャスト配信サーバの構成を模式的に示す図である。
【図４】図２のマルチキャスト・ブロードキャスト配信部によってブロードキャスト配信されるＩＰアドレスについての情報を模式的に示す図である。
【図５】図２のマルチキャスト・ブロードキャスト配信部によってブロードキャスト配信されるＩＰアドレスについての情報を模式的に示す図である。
【図６】図２のマルチキャスト・ブロードキャスト配信部の構成を説明するための図である。
【図７】図２のキャッシュ配信部の構成を説明するための図である。
【図８】図７のパケット保存部におけるパケットデータの保存態様を模式的に示す図である。
【図９】図１の携帯情報端末の構成を示す図である。
【図１０】図１の情報配信システムにおいて、ギャップデータの配信の際に携帯情報端末側で実行される処理のフローチャートである。
【図１１】図１の情報配信システムにおいて、ギャップデータの配信の際にマルチキャスト配信サーバ側で実行される処理のフローチャートである。
【図１２】図１の情報配信システムにおいて、携帯情報端末でデータが再生される態様を説明するための図である。
【図１３】図７のキャッシュ配信部の構成の変形例を示す図である。
【図１４】図１０の携帯情報端末側で実行される処理の変形例のフローチャートである。
【図１５】図１１のマルチキャスト配信サーバ側で実行される処理の変形例のフローチャートである。
【符号の説明】
【００９０】
１００  マルチキャスト配信サーバ、１０１  マルチキャスト・ブロードキャスト配信部、１０２，１６０，２０２  無線インターフェース、１０４  番組配信表記億部、１２１〜１２３，１５７  配信制御部、１５０  キャッシュ配信部、１５１  タイムスタンプ付与部、１５２  保存制御部、１５３  パケット保存部、１５４  パケット読み出し部、１５５  切り替え判定部、１５６  ＩＰ・ＵＤＰヘッダ付与部、１５８  番組配信表記憶部、１６１  接続制御部、１６２  配信番組判定部、１６３  開始時刻抽出部、１６４  開始パケット位置検索部、２００，２００Ａ  携帯情報端末、２０１  制御部、２１１  受信品質判定部、２１２  タイマ、２１３  メモリ、３００  無線ＬＡＮ環境、４００  放送局、５００  放送環境。
【図１】
2005286373.tif 000003
【図２】
2005286373.tif 000004
【図３】
2005286373.tif 000005
【図４】
2005286373.tif 000006
【図５】
2005286373.tif 000007
【図６】
2005286373.tif 000008
【図７】
2005286373.tif 000009
【図８】
2005286373.tif 000010
【図９】
2005286373.tif 000011
【図１０】
2005286373.tif 000012
【図１１】
2005286373.tif 000013
【図１２】
2005286373.tif 000014
【図１３】
2005286373.tif 000015
【図１４】
2005286373.tif 000016
【図１５】
2005286373.tif 000017